(57)【要約】  【課題】本発明は、受信していない放送信号の周波数帯域を通信に利用すること、および、フィルタの挿入損による通信信号への影響を低減することを目的とする。  【解決手段】外部から入力される信号が入力される入力端子と、通信のための送受信回路に接続される出力端子と、外部から入力される信号中に、通信用として予め決められた通信信号帯域以外の予め決められた所定の周波数帯域の信号があるかどうかを検出する信号検出手段１２と、入力端子と出力端子の間に接続され、所定の周波数帯域の信号を抑圧する所定周波数帯域抑圧フィルタ１５と、所定周波数帯域抑圧フィルタ１５に並列して設けられたバイパス経路１８と、信号検出手段１２の検出結果に基づいて、所定の周波数帯域の信号があるときは、所定周波数帯域抑圧フィルタ１５を通過させ、所定の周波数帯域の信号が無いときは、バイパス経路１８を通過させる制御回路１３、１４とを備える。【選択図】図１
2007013329.tif 000002
【特許請求の範囲】
【請求項１】
外部から入力される信号が入力される入力端子と、
通信のための送受信回路に接続される出力端子と、
前記外部から入力される信号中に、前記通信用として予め決められた通信信号帯域以外の予め決められた所定の周波数帯域の信号があるかどうかを検出する信号検出手段と、
前記入力端子と前記出力端子との間に接続され、前記所定の周波数帯域の信号を抑圧する所定周波数帯域抑圧フィルタと、
前記所定周波数帯域抑圧フィルタに並列して設けられた、前記所定周波数帯域抑圧フィルタを通過しないバイパス経路と、
前記信号検出手段の検出結果に基づいて、前記所定の周波数帯域の信号があるときは、前記所定周波数帯域抑圧フィルタを通過させ、前記所定の周波数帯域の信号が無いときは、前記バイパス経路を通過させる制御回路とを備えた、信号経路切替スイッチ。
【請求項２】
前記予め決められた所定の周波数帯域は、ＢＳ周波数帯域またはＣＳ周波数帯域であり、
前記所定周波数帯域抑圧フィルタは、ＢＳ周波数帯域およびＣＳ周波数帯域の信号を抑圧する第１のローパスフィルタである、請求項１に記載の信号経路切替スイッチ。
【請求項３】
前記予め決められた所定の周波数帯域は、ＢＳ周波数帯域およびＣＳ周波数帯域であり、
前記所定周波数帯域抑圧フィルタは、並列に配置された、ＢＳ周波数帯域およびＣＳ周波数帯域の信号を抑圧する第１のローパスフィルタと、ＣＳ周波数帯域の信号を抑圧する第２のローパスフィルタとで構成されており、
前記制御回路は、ＢＳ周波数帯域の信号があるときは、前記第１のローパスフィルタを通過させ、ＢＳ周波数帯域の信号が無く、且つ、ＣＳ周波数帯域の信号があるときは、前記第２のローパスフィルタを通過させ、ＢＳ周波数帯域およびＣＳ周波数帯域のいずれの信号も無いときは、前記バイパス経路を通過させる、請求項１に記載の信号経路切替スイッチ。
【請求項４】
前記入力端子または前記出力端子と前記バイパス経路との間に、ＣＡＴＶ周波数帯域の信号を抑圧する第１のハイパスフィルタと、ＣＡＴＶ周波数帯域のうちの所定の周波数未満の周波数帯域の信号を抑圧する第２のハイパスフィルタとが、並列に備えられており、
前記信号検出手段は、前記外部から入力される信号中に、ＣＡＴＶ周波数帯域のうちの前記所定の周波数以上の周波数帯域の信号があるかどうかも検出し、
前記制御回路は、前記信号検出手段の検出結果に基づいて、ＣＡＴＶ周波数帯域のうちの前記所定の周波数以上の周波数帯域の信号があるときは、前記第１のハイパスフィルタを通過させ、ＣＡＴＶ周波数帯域のうちの前記所定の周波数以上の周波数帯域の信号が無いときは、前記第２のハイパスフィルタを通過させる、請求項２または３に記載の信号経路切替スイッチ。
【請求項５】
前記入力端子には、前記通信信号帯域の信号と、前記通信信号帯域以外の信号が入力される、請求項１に記載の信号経路切替スイッチ。
【請求項６】
外部から入力される信号が入力される入力端子と、
通信のための送受信回路に接続される出力端子と、
前記外部から入力される信号中に、前記通信用として予め決められた通信信号帯域以外の予め決められた所定の周波数帯域の信号があるかどうかを検出する信号検出手段と、
前記入力端子と前記出力端子との間に設けられた、前記所定の周波数帯域の信号を抑圧する特定周波数抑制経路と、
前記入力端子と前記出力端子との間に設けられた、前記通信信号帯域の信号とともに前記所定の周波数帯域の信号も前記通信用として使用させるために通過させる、特定周波数通過経路と、
前記信号検出手段の検出結果に基づいて、前記所定の周波数帯域の信号があるときは、前記特定周波数抑制経路を通過させ、前記所定の周波数帯域の信号が無いときは、前記特定周波数通過経路を通過させる制御回路とを備えた、信号経路切替スイッチ。
【請求項７】
前記予め決められた所定の周波数帯域は、ＣＡＴＶ周波数帯域のうちの所定の周波数以上の周波数帯域であり、
前記特定周波数抑制経路は、ＣＡＴＶ周波数帯域の信号を抑圧する第１のハイパスフィルタを通る経路であり、
前記特定周波数通過経路は、前記第１のハイパスフィルタを通る代わりに、ＣＡＴＶ周波数帯域のうちの前記所定の周波数未満の周波数帯域の信号を抑圧する第２のハイパスフィルタを通る経路である、請求項６に記載の信号経路切替スイッチ。
【請求項８】
前記予め決められた所定の周波数帯域は、ＢＳ周波数帯域であり、
前記特定周波数抑制経路は、ＢＳ周波数帯域およびＣＳ周波数帯域の信号を抑圧する第１のローパスフィルタを通る経路であり、
前記特定周波数通過経路は、前記第１のローパスフィルタを通る代わりに、ＣＳ周波数帯域の信号を抑圧する第２のローパスフィルタを通る経路である、請求項６に記載の信号経路切替スイッチ。
【請求項９】
前記入力端子は、同軸ケーブルで分波器に接続されており、
前記入力端子には、前記分波器によって分波された結果、前記通信信号帯域の信号のみが入力される、請求項６に記載の信号経路切替スイッチ。
【請求項１０】
外部から入力される信号を入力する外部信号入力ステップと、
前記外部から入力される信号中に、通信用として予め決められた通信信号帯域以外の予め決められた所定の周波数帯域の信号があるかどうかを検出する信号検出ステップと、
前記信号検出ステップで前記所定の周波数帯域の信号があると検出したときには、前記所定の周波数帯域の信号を抑圧する所定周波数帯域抑圧フィルタを通過させ、前記所定の周波数帯域の信号が無いと検出したときには、前記所定周波数帯域抑圧フィルタに並列して設けられた、前記所定周波数帯域抑圧フィルタを通過しないバイパス経路を通過させる信号経路制御ステップと、
前記信号経路制御ステップで通過させた通信用信号を、通信のための送受信回路に出力する通信信号出力ステップとを備えた、信号経路切替方法。
【請求項１１】
外部から入力される信号を入力する外部信号入力ステップと、
前記外部から入力される信号中に、通信用として予め決められた通信信号帯域以外の予め決められた所定の周波数帯域の信号があるかどうかを検出する信号検出ステップと、
前記信号検出ステップで前記所定の周波数帯域の信号があると検出したときには、前記所定の周波数帯域の信号を抑圧する特定周波数抑制経路を通過させ、前記所定の周波数帯域の信号が無いと検出したときには、前記通信信号帯域の信号とともに前記所定の周波数帯域の信号も通過させて前記通信用として使用できる特定周波数通過経路を通過させる信号経路制御ステップと、
前記信号経路制御ステップで通過させた通信用信号を、通信のための送受信回路に出力する通信信号出力ステップとを備えた、信号経路切替方法。
【発明の詳細な説明】
【技術分野】
【０００１】
本発明は、信号経路切替スイッチおよび信号経路切替方法に関する。例えば、通信モデムの被／与妨害を除去するために設けられるフィルタ回路に用いられる信号経路切替スイッチおよび信号経路切替方法に関するものである。
【背景技術】
【０００２】
通信装置は、他の信号に妨害を与えないように、また、他の信号からの妨害を受けないようにする必要がある。そのため、通信装置には、通信信号に使用する周波数帯域を通過させて、他の信号の周波数帯域を減衰させるフィルタが付加される。
【０００３】
図１０は、一般的な通信システムの例としてケーブルテレビ網を利用した通信システムの構成を示している。図１０（ａ）および図１０（ｂ）は、ＢＳ・ＣＳ放送をケーブルテレビ網とは別にアンテナから受信する場合のＣＡＴＶ通信システムの構成図を示し、図１０（ｃ）は、ＢＳ・ＣＳ放送の放送用データが、ケーブルテレビ網の放送信号として送られてくる場合のＣＡＴＶ通信システムの構成図を示している。また、図１０（ｄ）は、ＢＳ・ＣＳ放送の放送用データが送信されてこない場合のＣＡＴＶ通信システムの構成図を示している。それぞれの同じ構成部分には、同じ符号を用いている。
【０００４】
図１０（ａ）の通信システムでは、ＢＳ・ＣＳ用アンテナ１０１からＢＳ・ＣＳ放送用の信号を受信する。そして、ＢＳ・ＣＳ放送以外の放送用の信号をＣＡＴＶ網１０２から受信する。ＢＳ・ＣＳ放送用の信号とＣＡＴＶ網１０２から送信されてくる放送用の信号は、混合器１０５で混合される。そして、その混合された信号が混合器１０６で通信信号１０４と混合され、ＣＡＴＶモデム１０７に入力される。ＣＡＴＶモデム１０７で、それらの混合された信号が放送用信号と通信用信号に分波され、放送用信号はテレビ１０８に、通信用信号はパソコン１０９に、それぞれ異なる同軸ケーブルを介して入力される。なお、混合器１０６は、分配器や分岐器であってもよい。
【０００５】
ここで、ＢＳ・ＣＳ用アンテナ１０１で受信されるＢＳ・ＣＳ放送用の信号は、１０３０ＭＨｚ以上の周波数帯域の信号である。また、ＣＡＴＶ網１０２から送信されてくる放送用の信号は、７７０ＭＨｚ以下の周波数の信号である。そして、これらの放送用の信号に使用されていない周波数帯域、すなわち７７０ＭＨｚ〜１０３０ＭＨｚの周波数の信号を通信信号１０４として使用する。
【０００６】
パソコン１０９の送受信に使用される通信用信号が、放送用信号からの妨害を受けないように、また、放送用信号に妨害を与えないように、ＣＡＴＶモデム１０７には、パソコン１０９への送受信用信号の経路にＢＰＦ（バンドパスフィルタ）が設けられている。
【０００７】
図１１は、ＣＡＴＶモデム１０７内に設けられているＢＰＦ１１１の構成図を示している。混合器１０６に接続されている同軸ケーブル入力１１６からの信号は、ＢＰＦ１１１を通って送受信回路部１１７に入力されるように構成されている。ＢＰＦ１１１は、図１１に示すように、ＨＰＦ１１２（ハイパスフィルタ）とＬＰＦ１１３（ローパスフィルタ）で構成されている。
【０００８】
図１２は、ＨＰＦ１１２およびＬＰＦ１１３の減衰特性を示している。ＬＰＦ１１３は、ＢＳ・ＣＳ用アンテナ１０１で受信される１０３０ＭＨｚ以上の周波数帯の信号を減衰させ、ＨＰＦ１１２は、ＣＡＴＶ網１０２から送信されてくる７７０ＭＨｚ以下の周波数帯の信号を減衰させる。
【０００９】
放送用信号として、ＣＡＴＶ放送帯域１２１およびＢＳ・ＣＳ信号帯域１２２の信号が使用される。そして、これらの放送用信号の周波数帯域をＢＰＦ１１１で減衰させて、これらの放送用信号に使用されていない通信信号帯域１２３を通信用信号に使用する。
【００１０】
図１０（ｂ）は、図１０（ａ）と同様のＢＳ・ＣＳ放送をケーブルテレビ網とは別にアンテナから受信する場合の、他の構成のＣＡＴＶ通信システムの構成図を示している。
【００１１】
この場合は、テレビ１０８は、ＣＡＴＶモデム１０７に接続されるのではなく、混合器１０６からの信号を分波する分波器１１０に接続されている。分波器１１０は、混合器１０６で混合された信号から放送用信号を分波して、７７０ＭＨｚ以下の信号と１０３０ＭＨｚ以上の信号をテレビ１０８に受信させる。また、分波器１１０は、混合器１０６で混合された信号から通信用信号を分波して、８２５ＭＨｚ〜９７５ＭＨｚの信号が分波器１１０からＣＡＴＶモデム１０７に入力される。そして、図１０（ａ）の場合と同様に、ＣＡＴＶモデム１０７に設けられているＢＰＦ１１１を通過し、放送用信号に使用されていない通信信号帯域１２３のみを通過させる。
【００１２】
一方、図１０（ｃ）の通信システムでは、ＢＳ・ＣＳ放送用の信号は、放送用信号の周波数帯（７７０ＭＨｚ以下）の信号でＣＡＴＶ網１２０から送られてくる。この図１０（ｃ）の構成の通信システムの場合にも、図１０（ａ）および図１０（ｂ）の場合と同様に、ＢＰＦ１１１が設けられたＣＡＴＶモデム１０７を介して、パソコン１０９に接続される。
【００１３】
図１０（ｄ）の通信システムは、ＢＳ・ＣＳ放送用の信号の無い構成を示しており、図１０（ｂ）と同様に、テレビ１０８が、混合器１０６からの信号を分波する分波器１１０に接続されている。この場合、分波器１１０は、混合器１０６で混合された信号から放送用信号を分波するが、１０３０ＭＨｚ以上のＢＳ・ＣＳ放送用の信号が含まれていないので、７７０ＭＨｚ以下の信号のみをテレビ１０８に受信させることになる。また、分波器１１０は、図１０（ｂ）と同じ分波器であり、混合器１０６で混合された信号から通信用信号を分波して、８２５ＭＨｚ〜９７５ＭＨｚの信号が分波器１１０からＣＡＴＶモデム１０７に入力される。そして、図１０（ａ）〜図１０（ｃ）の場合と同様に、ＣＡＴＶモデム１０７に設けられているＢＰＦ１１１を通過し、放送用信号に使用されていない通信信号帯域１２３のみを通過させる。
【００１４】
ここでは、図１０（ｄ）の通信システムはＢＳ・ＣＳ放送用の信号の無い構成で説明したが、図１０（ｄ）の構成で、図１０（ｃ）のようにＢＳ・ＣＳ放送用の信号が放送用信号の周波数帯（７７０ＭＨｚ以下）の信号でＣＡＴＶ網から送られてくる場合であっても、上記と同様の動作となる。すなわち、この場合には、分波器１１０は、ＢＳ・ＣＳ放送用の信号も含んだ７７０ＭＨｚ以下の信号のみをテレビ１０８に受信させることになる。
【００１５】
異なる家屋の壁に配置されているアンテナ用同軸ケーブル用端子に、同じＣＡＴＶモデム１０７を接続しても、また同じ家屋内であっても異なる壁に配置されているアンテナ用同軸ケーブル用端子に、同じＣＡＴＶモデム１０７を接続しても、その接続するアンテナ用同軸ケーブル用端子によって図１０（ａ）〜図１０（ｄ）に示すように接続構成が異なってくる。
【００１６】
また、地上放送の信号もＣＡＴＶ放送帯域と同じ７７０ＭＨｚ以下の周波数帯域が使用されるので、図１０（ａ）〜（ｄ）でＣＡＴＶ網からの放送用信号の代わりに地上放送の信号がＣＡＴＶモデム１０７に入力される構成としても、これらの構成でテレビ放送の表示および通信の送受信を行うことができる。
【００１７】
また、図１０（ａ）〜（ｄ）の構成では、通信信号１０４がＣＡＴＶ網とは別の経路で送受信される構成としたが、通信信号が放送用信号に重畳されてＣＡＴＶ網を介して送受信される構成であっても、同様に動作する。このように、通信信号がＣＡＴＶ網を通じて送受信される場合には、図１０（ａ）〜（ｄ）の通信システムでは、混合器１０６の無い構成となる。
【００１８】
なお、図１０（ｃ）の通信システムのようにＢＳ・ＣＳ放送用の信号がＣＡＴＶ放送帯域の信号でＣＡＴＶ網から送られてくる場合もあるが、本明細書においては、ＣＡＴＶ網から送られてくるか否かに関わらず、ＢＳ・ＣＳ用アンテナから受信される場合の本来のＢＳ・ＣＳ放送用の信号の周波数を「ＢＳ・ＣＳ信号帯域」として記載している。
【００１９】
また、通信に使用する周波数帯域によって、制御回路でスイッチを切り換え、通過させるフィルタを選択するフィルタ回路もある（例えば、特許文献１参照）。
【特許文献１】特開昭６４−７１２２２号公報
【発明の開示】
【発明が解決しようとする課題】
【００２０】
しかしながら、従来のＢＰＦを有するＣＡＴＶモデムを用いた場合には、通信用信号の周波数帯域以外の信号を減衰させる必要が無い場合でも、通信用信号が必ずＢＰＦを通る構成となってしまうため、フィルタの挿入損による通信用信号への影響があった。
【００２１】
例えば、図１０（ｂ）の構成の通信システムの場合には、分波器１１０からＣＡＴＶモデム１０７へは放送用の信号（７７０ＭＨｚ以下および１０３０ＭＨｚ以上の信号）は流れてこないので、この構成の場合にはＢＰＦを通す必要はないが、必ずＣＡＴＶモデム１０７内のＢＰＦを通過することになる。
【００２２】
図１２に示すようなＨＰＦ１１２とＬＰＦ１１３で構成されるＢＰＦ１１１の構成で所望の遮断特性を得るには、それぞれ１．５［ｄＢ］程度の挿入損となるのが回路上一般的である。このＨＰＦ１１２とＬＰＦ１１３の２つのフィルタによる挿入損の影響により、通信できる距離が短くなっていた。
【００２３】
また、従来のＣＡＴＶ放送帯域とＢＳ・ＣＳ信号帯域との間の空き周波数帯域のみを通すＢＰＦを用いる場合には、放送用信号として割り当てられる周波数帯域のうちの、実際には放送信号を受信していない周波数帯域を通信に利用することが出来なかった。
【００２４】
放送用信号として割り当てられる周波数帯域は、７７０ＭＨｚ以下および１０３０ＭＨｚ以上の周波数帯域であるが、例えば、図１０（ｃ）の構成の通信システムの場合には、放送用信号として７７０ＭＨｚ以下の周波数帯域のみが使用される。つまり、この場合には、１０３０ＭＨｚ以上の周波数帯域は放送用信号には使用されない。しかし、通信信号の経路上に図１１に示すようなＢＰＦ１１１が設けられていると、図１２に示すように１０３０ＭＨｚ以上の周波数帯域が減衰させられるために、通信信号帯域１２３の信号しか通信用信号として使用できない。
【００２５】
つまり、１０３０ＭＨｚ以上の周波数帯域が放送用信号に使用されていないにも関わらず、通信用には通信信号帯域１２３の信号しか使用できないので、通信信号の周波数使用効率が悪いということになってしまう。
【００２６】
本発明は、上述した従来の課題を解決するもので、フィルタの挿入損を抑制して通信距離を長くできる、信号経路切替スイッチおよび信号経路切替方法を提供することを目的とする。
【００２７】
また、本発明は、周波数使用効率の高い通信を行わせる、信号経路切替スイッチおよび信号経路切替方法を提供することを目的とする。
【課題を解決するための手段】
【００２８】
上述した課題を解決するために、第１の本発明は、
外部から入力される信号が入力される入力端子と、
通信のための送受信回路に接続される出力端子と、
前記外部から入力される信号中に、前記通信用として予め決められた通信信号帯域以外の予め決められた所定の周波数帯域の信号があるかどうかを検出する信号検出手段と、
前記入力端子と前記出力端子との間に接続され、前記所定の周波数帯域の信号を抑圧する所定周波数帯域抑圧フィルタと、
前記所定周波数帯域抑圧フィルタに並列して設けられた、前記所定周波数帯域抑圧フィルタを通過しないバイパス経路と、
前記信号検出手段の検出結果に基づいて、前記所定の周波数帯域の信号があるときは、前記所定周波数帯域抑圧フィルタを通過させ、前記所定の周波数帯域の信号が無いときは、前記バイパス経路を通過させる制御回路とを備えた、信号経路切替スイッチである。
【００２９】
また、第２の本発明は、
前記予め決められた所定の周波数帯域は、ＢＳ周波数帯域またはＣＳ周波数帯域であり、
前記所定周波数帯域抑圧フィルタは、ＢＳ周波数帯域およびＣＳ周波数帯域の信号を抑圧する第１のローパスフィルタである、第１の本発明の信号経路切替スイッチである。
【００３０】
また、第３の本発明は、
前記予め決められた所定の周波数帯域は、ＢＳ周波数帯域およびＣＳ周波数帯域であり、
前記所定周波数帯域抑圧フィルタは、並列に配置された、ＢＳ周波数帯域およびＣＳ周波数帯域の信号を抑圧する第１のローパスフィルタと、ＣＳ周波数帯域の信号を抑圧する第２のローパスフィルタとで構成されており、
前記制御回路は、ＢＳ周波数帯域の信号があるときは、前記第１のローパスフィルタを通過させ、ＢＳ周波数帯域の信号が無く、且つ、ＣＳ周波数帯域の信号があるときは、前記第２のローパスフィルタを通過させ、ＢＳ周波数帯域およびＣＳ周波数帯域のいずれの信号も無いときは、前記バイパス経路を通過させる、第１の本発明の信号経路切替スイッチである。
【００３１】
また、第４の本発明は、
前記入力端子または前記出力端子と前記バイパス経路との間に、ＣＡＴＶ周波数帯域の信号を抑圧する第１のハイパスフィルタと、ＣＡＴＶ周波数帯域のうちの所定の周波数未満の周波数帯域の信号を抑圧する第２のハイパスフィルタとが、並列に備えられており、
前記信号検出手段は、前記外部から入力される信号中に、ＣＡＴＶ周波数帯域のうちの前記所定の周波数以上の周波数帯域の信号があるかどうかも検出し、
前記制御回路は、前記信号検出手段の検出結果に基づいて、ＣＡＴＶ周波数帯域のうちの前記所定の周波数以上の周波数帯域の信号があるときは、前記第１のハイパスフィルタを通過させ、ＣＡＴＶ周波数帯域のうちの前記所定の周波数以上の周波数帯域の信号が無いときは、前記第２のハイパスフィルタを通過させる、第２または第３の本発明の信号経路切替スイッチである。
【００３２】
また、第５の本発明は、
前記入力端子には、前記通信信号帯域の信号と、前記通信信号帯域以外の信号が入力される、第１の本発明の信号経路切替スイッチである。
【００３３】
また、第６の本発明は、
外部から入力される信号が入力される入力端子と、
通信のための送受信回路に接続される出力端子と、
前記外部から入力される信号中に、前記通信用として予め決められた通信信号帯域以外の予め決められた所定の周波数帯域の信号があるかどうかを検出する信号検出手段と、
前記入力端子と前記出力端子との間に設けられた、前記所定の周波数帯域の信号を抑圧する特定周波数抑制経路と、
前記入力端子と前記出力端子との間に設けられた、前記通信信号帯域の信号とともに前記所定の周波数帯域の信号も前記通信用として使用させるために通過させる、特定周波数通過経路と、
前記信号検出手段の検出結果に基づいて、前記所定の周波数帯域の信号があるときは、前記特定周波数抑制経路を通過させ、前記所定の周波数帯域の信号が無いときは、前記特定周波数通過経路を通過させる制御回路とを備えた、信号経路切替スイッチである。
【００３４】
また、第７の本発明は、
前記予め決められた所定の周波数帯域は、ＣＡＴＶ周波数帯域のうちの所定の周波数以上の周波数帯域であり、
前記特定周波数抑制経路は、ＣＡＴＶ周波数帯域の信号を抑圧する第１のハイパスフィルタを通る経路であり、
前記特定周波数通過経路は、前記第１のハイパスフィルタを通る代わりに、ＣＡＴＶ周波数帯域のうちの前記所定の周波数未満の周波数帯域の信号を抑圧する第２のハイパスフィルタを通る経路である、第６の本発明の信号経路切替スイッチである。
【００３５】
また、第８の本発明は、
前記予め決められた所定の周波数帯域は、ＢＳ周波数帯域であり、
前記特定周波数抑制経路は、ＢＳ周波数帯域およびＣＳ周波数帯域の信号を抑圧する第１のローパスフィルタを通る経路であり、
前記特定周波数通過経路は、前記第１のローパスフィルタを通る代わりに、ＣＳ周波数帯域の信号を抑圧する第２のローパスフィルタを通る経路である、第６の本発明の信号経路切替スイッチである。
【００３６】
また、第９の本発明は、
前記入力端子は、同軸ケーブルで分波器に接続されており、
前記入力端子には、前記分波器によって分波された結果、前記通信信号帯域の信号のみが入力される、第６の本発明の信号経路切替スイッチである。
【００３７】
また、第１０の本発明は、
外部から入力される信号を入力する外部信号入力ステップと、
前記外部から入力される信号中に、通信用として予め決められた通信信号帯域以外の予め決められた所定の周波数帯域の信号があるかどうかを検出する信号検出ステップと、
前記信号検出ステップで前記所定の周波数帯域の信号があると検出したときには、前記所定の周波数帯域の信号を抑圧する所定周波数帯域抑圧フィルタを通過させ、前記所定の周波数帯域の信号が無いと検出したときには、前記所定周波数帯域抑圧フィルタに並列して設けられた、前記所定周波数帯域抑圧フィルタを通過しないバイパス経路を通過させる信号経路制御ステップと、
前記信号経路制御ステップで通過させた通信用信号を、通信のための送受信回路に出力する通信信号出力ステップとを備えた、信号経路切替方法である。
【００３８】
また、第１１の本発明は、
外部から入力される信号を入力する外部信号入力ステップと、
前記外部から入力される信号中に、通信用として予め決められた通信信号帯域以外の予め決められた所定の周波数帯域の信号があるかどうかを検出する信号検出ステップと、
前記信号検出ステップで前記所定の周波数帯域の信号があると検出したときには、前記所定の周波数帯域の信号を抑圧する特定周波数抑制経路を通過させ、前記所定の周波数帯域の信号が無いと検出したときには、前記通信信号帯域の信号とともに前記所定の周波数帯域の信号も通過させて前記通信用として使用できる特定周波数通過経路を通過させる信号経路制御ステップと、
前記信号経路制御ステップで通過させた通信用信号を、通信のための送受信回路に出力する通信信号出力ステップとを備えた、信号経路切替方法である。
【発明の効果】
【００３９】
本発明により、フィルタの挿入損を抑制して通信距離を長くできる、信号経路切替スイッチおよび信号経路切替方法を提供できる。
【００４０】
また、本発明により、周波数使用効率の高い通信を行わせる、信号経路切替スイッチおよび信号経路切替方法を提供できる。
【発明を実施するための最良の形態】
【００４１】
以下に、本発明の実施の形態について、図面を参照しながら説明する。
【００４２】
（実施の形態１）
図１は、本発明の実施の形態１のフィルタ回路のブロック図を示したものである。このフィルタ回路は、図１０に示したような通信システムのＣＡＴＶモデム１０７などに設けられる回路であり、従来例で説明したＢＰＦの代わりに設けられる回路である。
【００４３】
図１を用いて、本実施の形態１のフィルタ回路の構成をその動作とともに説明する。
【００４４】
本実施の形態１のフィルタ回路は、ＨＰＦ１１、ＢＳ・ＣＳ信号検出回路１２、切替スイッチ１３、１４、ＬＰＦ１５、バイパス経路１８を備えている。なお、ＢＳ・ＣＳ信号検出回路１２が、本発明の信号検出手段の一例にあたる。また、ＢＳ・ＣＳ信号検出回路１２の切替スイッチ１３、１４を制御する機能部分と切替スイッチ１３、１４を合わせた構成が、本発明の制御回路の一例にあたる。また、ＬＰＦ１５が、本発明の所定周波数帯域抑圧フィルタの一例にあたる。
【００４５】
ＨＰＦ１１は、同軸ケーブル入力１６からの信号のうち、ＣＡＴＶ網からの放送用信号に使用される周波数帯域（７７０ＭＨｚ以下）を減衰させることにより、ＣＡＴＶ放送帯域での被／与妨害を除去する。
【００４６】
ＢＳ・ＣＳ信号検出回路１２は、同軸ケーブル入力１６から入力されてＨＰＦ１１を通過した後の信号の周波数を検出する。そして、ＢＳ・ＣＳ信号検出回路１２は、その検出結果に応じて、切替スイッチ１３、１４を切り換えるための制御信号を切替スイッチ１３、１４に送信する。なお、ＢＳ・ＣＳ信号検出回路１２は、ＨＰＦ１１を通過した後の信号ではなく、ＨＰＦ１１を通過する前の同軸ケーブル入力１６からの信号を検出するようにしてもよい。
【００４７】
切替スイッチ１３、１４は、ＢＳ・ＣＳ信号検出回路１２からの制御信号に応じて、ＨＰＦ１１の通過後から送受信回路部１７への信号の経路を、ＬＰＦ１５を通過させるか、ＬＰＦ１５を通らないバイパス経路１８を通過させるかを切り替える。ＬＰＦ１５は、ＢＳ・ＣＳ信号帯域（１０３０ＭＨｚ以上）を減衰させるフィルタである。
【００４８】
なお、ＨＰＦ１１の同軸ケーブル入力１６からの信号が入力される部分が、本発明の入力端子の一例にあたり、切替スイッチ１４の送受信回路部１７に接続される部分が、本発明の出力端子の一例にあたる。
【００４９】
ＢＳ・ＣＳ信号検出回路１２は、ＢＳ・ＣＳ信号帯域の信号を検出した場合は、ＬＰＦ１５を通過させる制御信号を切替スイッチ１３、１４に送信する。そして、ＢＳ・ＣＳ信号帯域の信号を検出しなかった場合は、バイパス経路１８を通過させる制御信号を切替スイッチ１３、１４に送信する。
【００５０】
図２は、本実施の形態１のフィルタ回路を用いた場合の減衰特性を示している。
【００５１】
ＨＰＦ１１によりＣＡＴＶ放送帯域２１の信号（７７０ＭＨｚ以下の信号）が抑圧される。
【００５２】
ＢＳ・ＣＳ信号検出回路１２は、ＢＳ・ＣＳ信号帯域２２の信号を検出した場合には、ＨＰＦ１１を通過してきた信号がＬＰＦ１５を通過するように制御する。ＬＰＦ１５によりＢＳ・ＣＳ信号帯域２２の信号が抑圧される。そして、送受信回路部１７は、ＨＰＦ１１およびＬＰＦ１５で減衰されなかった通信信号帯域２３の周波数を用いて、通信信号の送受信を行う。
【００５３】
一方、ＢＳ・ＣＳ信号帯域２２の信号が検出されなかった場合には、ＢＳ・ＣＳ信号検出回路１２は、ＨＰＦ１１を通過してきた信号が、ＬＰＦ１５を通らずバイパス経路１８を通過するように制御する。この場合、ＢＳ・ＣＳ信号帯域２２は減衰されないので、送受信回路部１７は、ＢＳ・ＣＳ信号帯域２２も含めた周波数帯域２４を用いて、通信信号の送受信を行うことができる。
【００５４】
なお、通信信号帯域２３が、本発明の、通信用として予め決められた通信信号帯域の一例にあたる。また、本実施の形態１においては、ＢＳ・ＣＳ信号帯域２２が、本発明の予め決められた所定の周波数帯域の一例にあたる。
【００５５】
また、本実施の形態１のフィルタ回路の、ＨＰＦ１１とＬＰＦ１５とを通る経路が、本発明の特定周波数抑制経路の一例にあたり、ＨＰＦ１１とバイパス経路１８とを通る経路が、本発明の特定周波数通過経路の一例にあたる。
【００５６】
また、放送信号を含む信号が同軸ケーブル入力１６からＨＰＦ１１に入力される処理が、本発明の外部信号入力ステップの一例にあたる。また、ＢＳ・ＣＳ信号検出回路１２がＢＳ・ＣＳ信号帯域２２の信号を検出する処理が、本発明の信号検出ステップの一例にあたる。また、ＢＳ・ＣＳ信号検出回路１２からの制御信号により切替スイッチ１３、１４が切り替えられる処理が、本発明の信号経路制御ステップの一例にあたる。また、本実施の形態１のフィルタ回路を通過した信号を送受信回路部１７に送出する処理が、本発明の通信信号出力ステップの一例にあたる。
【００５７】
例えば、図１０（ａ）〜（ｄ）の各通信システムのＣＡＴＶモデム１０７に本実施の形態１のフィルタ回路を設けると、同軸ケーブル入力１６から入力される信号は、図１０（ａ）の通信システムではＬＰＦ１５を通るように制御されるが、図１０（ｂ）〜図１０（ｄ）の通信システムではＬＰＦ１５を通らずバイパス経路１８を通るように制御されることになる。
【００５８】
図１１に示したような、ＨＰＦ１１２とＬＰＦ１１３を組み合わせた従来のＢＰＦ１１１の構成で所望の遮断特性を得るには、ＨＰＦ１１２とＬＰＦ１１３において、それぞれ１．５ｄＢ程度の挿入損となるのが回路実現上から一般的である。また、同軸ケーブル（５Ｃ−ＦＢ）では９００ＭＨｚ帯における挿入損は０．１５［ｄＢ／ｍ］である。したがって、本実施の形態１のフィルタ回路を用いると、図１０（ｂ）〜図１０（ｄ）のような構成の通信システムの場合には、ＨＰＦ１１のみを通過するため、従来のＢＰＦ１１１を通過する場合と比較して、同軸ケーブル（５Ｃ−ＦＢ）における通信距離は約１０ｍ向上する。
【００５９】
また、図１０（ａ）および図１０（ｃ）の通信システムのＣＡＴＶモデム１０７に本実施の形態１のフィルタ回路を設けると、図１０（ａ）の通信システムでは通信信号帯域２３で通信の送受信が行われ、図１０（ｃ）の通信システムではＢＳ・ＣＳ信号帯域も含めた周波数帯域２４で通信の送受信が行われることになる。
【００６０】
このように、ＢＳ・ＣＳ信号帯域２２が放送用の信号に使用されていない場合には、通信に使用する周波数帯域を拡張して通信が行えるので、周波数使用効率が向上する。
【００６１】
以上に説明したように、本実施の形態１のフィルタ回路を用いることにより、ＢＳ・ＣＳ信号帯域の信号を受信していない場合は、ＬＰＦ１５を通過せずＨＰＦ１１のみを通過するため、フィルタによる挿入損を小さくでき、通信距離を長くすることができる。また、そのＢＳ・ＣＳ信号帯域を通信に利用することが可能となる。
【００６２】
ＣＡＴＶモデム１０７に本実施の形態１のフィルタ回路を設けると、そのＣＡＴＶモデム１０７を壁などに設置されている放送／通信用の端子に接続した際に、ＢＳ・ＣＳ信号検出回路１２によりＢＳ・ＣＳ信号帯域の信号の有無が検出され、自動的に通信用信号の経路が選択されるので、接続状態に応じて上記のような効果が自動的に得られることになる。
【００６３】
（実施の形態２）
図３は、本発明の実施の形態２のフィルタ回路のブロック図を示したものである。実施の形態１のフィルタ回路と同様に、このフィルタ回路は、図１０に示したような通信システムのＣＡＴＶモデム１０７などに設けられる回路である。なお、実施の形態１と同じ構成部分には同じ符号を用いている。
【００６４】
図３を用いて、本実施の形態２のフィルタ回路の構成をその動作とともに説明する。
【００６５】
本実施の形態２のフィルタ回路は、ＨＰＦ１１、ＢＳ・ＣＳ信号検出回路３２、切替スイッチ３３、３４、ＬＰＦ３５、３６、バイパス経路３８を備えている。なお、ＢＳ・ＣＳ信号検出回路３２が、本発明の信号検出手段の一例にあたる。また、ＢＳ・ＣＳ信号検出回路３２の切替スイッチ３３、３４を制御する機能部分と切替スイッチ３３、３４を合わせた構成が、本発明の制御回路の一例にあたる。また、ＬＰＦ３５およびＬＰＦ３６が、本発明の所定周波数帯域抑圧フィルタの一例にあたる。そして、ＬＰＦ３５が、本発明の第１のローパスフィルタの一例にあたり、ＬＰＦ３６が、本発明の第２のローパスフィルタの一例にあたる。
【００６６】
ＨＰＦ１１は、同軸ケーブル入力１６からの信号のうち、ＣＡＴＶ網からの放送用信号に使用される周波数帯域（７７０ＭＨｚ以下）を減衰させることにより、ＣＡＴＶ放送帯域での被／与妨害を除去する。
【００６７】
ＢＳ・ＣＳ信号検出回路３２は、同軸ケーブル入力１６から入力されてＨＰＦ１１を通過した後の信号の周波数を検出する。そして、ＢＳ・ＣＳ信号検出回路３２は、その検出結果に応じて、切替スイッチ３３、３４を切り換えるための制御信号を切替スイッチ３３、３４に送信する。なお、ＢＳ・ＣＳ信号検出回路３２は、ＨＰＦ１１を通過した後の信号ではなく、ＨＰＦ１１を通過する前の同軸ケーブル入力１６からの信号を検出するようにしてもよい。
【００６８】
ＢＳ・ＣＳ信号検出回路３２は、実施の形態１のＢＳ・ＣＳ信号検出回路１２と異なり、１０３０ＭＨｚ以上の周波数の信号について、その信号がＢＳ信号帯域の信号かＣＳ信号帯域の信号かを区別して検出できるようになっている。ＣＳ信号帯域は、ＢＳ信号帯域よりも高周波の周波数帯域である。
【００６９】
切替スイッチ３３、３４は、ＢＳ・ＣＳ信号検出回路３２からの制御信号に応じて、ＨＰＦ１１の通過後から送受信回路部１７への信号の経路を、ＬＰＦ３５を通過させるか、ＬＰＦ３６を通過させるか、ＬＰＦ３５もＬＰＦ３６も通らないバイパス経路３８を通過させるかを切り替える。ＬＰＦ３５は、ＢＳ信号帯域およびＣＳ信号帯域（１０３０ＭＨｚ以上）を減衰させるフィルタであり、ＬＰＦ３６は、ＣＳ信号帯域を減衰させるフィルタである。
【００７０】
なお、ＨＰＦ１１の同軸ケーブル入力１６からの信号が入力される部分が、本発明の入力端子の一例にあたり、切替スイッチ３４の送受信回路部１７に接続される部分が、本発明の出力端子の一例にあたる。
【００７１】
ＢＳ・ＣＳ信号検出回路３２は、ＢＳ信号帯域の信号を検出した場合は、ＬＰＦ３５を通過させる制御信号を切替スイッチ３３、３４に送信する。ＢＳ信号帯域よりも高周波であるＣＳ信号帯域の信号を検出した場合は、ＬＰＦ３６を通過させる制御信号を切替スイッチ３３、３４に送信する。そして、ＢＳ・ＣＳ信号帯域の信号を検出しなかった場合は、バイパス経路３８を通過させる制御信号を切替スイッチ３３、３４に送信する。
【００７２】
図４は、本実施の形態２のフィルタ回路を用いた場合の減衰特性を示している。
【００７３】
ＨＰＦ１１によりＣＡＴＶ放送帯域２１の信号（７７０ＭＨｚ以下の信号）が抑圧される。
【００７４】
ＢＳ・ＣＳ信号検出回路３２は、ＢＳ信号帯域４１の信号を検出した場合には、ＨＰＦ１１を通過してきた信号がＬＰＦ３５を通過するように制御する。ＬＰＦ３５によりＢＳ信号帯域４１およびＣＳ信号帯域４２の信号が抑圧される。そして、送受信回路部１７は、ＨＰＦ１１およびＬＰＦ３５で減衰されなかった通信信号帯域２３の周波数を用いて、通信信号の送受信を行う。
【００７５】
そして、ＣＳ信号帯域４２の信号を検出した場合には、ＢＳ・ＣＳ信号検出回路３２は、ＨＰＦ１１を通過してきた信号がＬＰＦ３６を通過するように制御する。ＬＰＦ３６により、ＢＳ信号帯域４１は減衰されず、ＣＳ信号帯域４２の信号が抑圧される。そして、送受信回路部１７は、ＨＰＦ１１およびＬＰＦ３６で減衰されなかった周波数帯域４３を用いて、通信信号の送受信を行うことができる。
【００７６】
また、ＢＳ信号帯域４１およびＣＳ信号帯域４２のいずれの信号も検出されなかった場合には、ＢＳ・ＣＳ信号検出回路３２は、ＨＰＦ１１を通過してきた信号が、ＬＰＦ３５もＬＰＦ３６も通らずバイパス経路３８を通過するように制御する。この場合、ＢＳ信号帯域４１もＣＳ信号帯域４２も減衰されないので、送受信回路部１７は、ＢＳ信号帯域４１およびＣＳ信号帯域４２も含めた周波数帯域４４を用いて、通信信号の送受信を行うことができる。
【００７７】
なお、通信信号帯域２３が、本発明の、通信用として予め決められた通信信号帯域の一例にあたる。また、本実施の形態２においては、ＢＳ信号帯域４１およびＣＳ信号帯域４２が、本発明の予め決められた所定の周波数帯域の一例にあたる。また、本実施の形態２のフィルタ回路の、ＨＰＦ１１とＬＰＦ３５とを通る経路が、本発明の特定周波数抑制経路の一例にあたり、ＨＰＦ１１とＬＰＦ３６とを通る経路、およびＨＰＦ１１とバイパス経路３８とを通る経路が、いずれも、本発明の特定周波数通過経路の一例にあたる。
【００７８】
また、放送信号を含む信号が同軸ケーブル入力１６からＨＰＦ１１に入力される処理が、本発明の外部信号入力ステップの一例にあたる。また、ＢＳ・ＣＳ信号検出回路３２がＢＳ信号帯域４１およびＣＳ信号帯域４２の信号を検出する処理が、本発明の信号検出ステップの一例にあたる。また、ＢＳ・ＣＳ信号検出回路３２からの制御信号により切替スイッチ３３、３４が切り替えられる処理が、本発明の信号経路制御ステップの一例にあたる。また、本実施の形態２のフィルタ回路を通過した信号を送受信回路部１７に送出する処理が、本発明の通信信号出力ステップの一例にあたる。
【００７９】
このように、放送信号がどの周波数帯域を使用しているかに応じて、通信に使用する周波数帯域を適宜拡張して通信が行えるので、周波数使用効率が向上する。
【００８０】
また、本実施の形態２のフィルタ回路を用いると、ＢＳ信号帯域、ＣＳ信号帯域のいずれの信号も全く受信していない場合は、ＬＰＦ３５もＬＰＦ３６も通過せずＨＰＦ１１のみを通過するため、従来のＢＰＦ１１１を通過する場合と比較して、同軸ケーブル（５Ｃ−ＦＢ）における通信距離は約１０ｍ向上する。
【００８１】
例えば、図１０（ａ）〜（ｄ）の各通信システムのＣＡＴＶモデム１０７に本実施の形態２のフィルタ回路を設けると、実施の形態１と同様に、図１０（ｂ）〜（ｄ）の構成では、フィルタによる挿入損が小さくなり、通信距離が長くなる。
【００８２】
また、実施の形態１と同様に、図１０（ｃ）では、ＢＳ・ＣＳ信号帯域も通信に利用することが可能となる。本実施の形態２の場合には、図１０（ａ）のような構成の通信システムでも、ＢＳ・ＣＳ用アンテナからＣＳ信号帯域の信号のみを受信している場合には、ＢＳ信号帯域を通信に利用することが可能となる。
【００８３】
以上に説明したように、本実施の形態２のフィルタ回路を用いることにより、ＢＳ・ＣＳ信号帯域の信号を全く受信していない場合は、フィルタによる挿入損を小さくできるので、通信距離を長くすることができる。また、ＢＳ・ＣＳ信号帯域の信号を全く受信していない場合は、ＢＳ・ＣＳ信号帯域を通信に利用することが可能となり、ＣＳ信号帯域の信号のみを受信している場合は、ＬＰＦ３６の通過域のＢＳ信号帯域を通信に利用することが可能となる。
【００８４】
なお、本実施の形態２では、ＬＰＦ３５は、ＢＳ信号帯域４１およびＣＳ信号帯域４２を減衰させるフィルタとしたが、ＣＳ信号帯域４２は減衰させずＢＳ信号帯域４１のみを減衰させるフィルタとしてもよい。その場合、ＢＳ信号帯域４１の信号を検出した場合には、通信信号帯域２３とＣＳ信号帯域４２の２つの周波数帯域を通信用に使用できる。
【００８５】
また、本実施の形態２では、ＬＰＦ３６は、ＣＳ信号帯域４２を減衰させるフィルタとしたが、ＢＳ・ＣＳ信号帯域の任意の周波数以上を減衰させるフィルタとしてもよい。その場合、ＢＳ・ＣＳ信号検出回路３２は、その任意の周波数の前後の周波数帯における信号の有無を検出し、上記と同様の動作を行う。
【００８６】
（実施の形態３）
図５は、本発明の実施の形態３のフィルタ回路のブロック図を示したものである。実施の形態１のフィルタ回路と同様に、このフィルタ回路は、図１０に示したような通信システムのＣＡＴＶモデム１０７などに設けられる回路である。なお、実施の形態１と同じ構成部分には同じ符号を用いている。
【００８７】
図５を用いて、本実施の形態３のフィルタ回路の構成をその動作とともに説明する。
【００８８】
本実施の形態３のフィルタ回路は、ＨＰＦ５５、５６、放送信号検出回路５２、切替スイッチ５３、５４、ＬＰＦ５７を備えている。なお、放送信号検出回路５２が、本発明の信号検出手段の一例にあたる。また、放送信号検出回路５２の切替スイッチ５３、５４を制御する機能部分と切替スイッチ５３、５４を合わせた構成が、本発明の制御回路の一例にあたる。
【００８９】
ＨＰＦ５５は、同軸ケーブル入力１６からの信号のうち、ＣＡＴＶ網からの放送用の信号に使用される周波数帯域（７７０ＭＨｚ以下）を減衰させることにより、ＣＡＴＶ放送帯域での被／与妨害を除去する。
【００９０】
ＨＰＦ５６は、同軸ケーブル入力１６からの信号のうち、ＣＡＴＶ網からの放送用の信号に使用される周波数帯域の所定の周波数よりも低い周波数帯域を減衰させるフィルタである。
【００９１】
放送信号検出回路５２は、同軸ケーブル入力１６から入力されてくる信号の周波数を検出する。そして、放送信号検出回路５２は、その検出結果に応じて、切替スイッチ５３、５４を切り換えるための制御信号を切替スイッチ５３、５４に送信する。
【００９２】
切替スイッチ５３、５４は、放送信号検出回路５２からの制御信号に応じて、同軸ケーブル入力１６からＬＰＦ５７への信号の経路を、ＨＰＦ５５を通過させるか、ＨＰＦ５６を通過させるかを切り替える。ＬＰＦ５７は、ＢＳ・ＣＳ信号帯域（１０３０ＭＨｚ以上）を減衰させるフィルタである。
【００９３】
なお、切替スイッチ５３の同軸ケーブル入力１６からの信号が入力される部分が、本発明の入力端子の一例にあたり、ＬＰＦ５７の送受信回路部１７に接続される部分が、本発明の出力端子の一例にあたる。
【００９４】
放送信号検出回路５２は、ＣＡＴＶ放送帯域に所定の周波数以上の信号を検出した場合は、ＨＰＦ５５を通過させる制御信号を切替スイッチ５３、５４に送信する。そして、ＣＡＴＶ放送帯域に所定の周波数以上の信号を検出しなかった場合は、ＨＰＦ５６を通過させる制御信号を切替スイッチ５３、５４に送信する。
【００９５】
図６は、本実施の形態３のフィルタ回路を用いた場合の減衰特性を示している。
【００９６】
ＬＰＦ５７によりＢＳ・ＣＳ信号帯域２２の信号（１０３０ＭＨｚ以上の信号）が抑圧される。
【００９７】
放送信号検出回路５２は、ＣＡＴＶ放送帯域２１に所定の周波数以上の信号を検出した場合には、同軸ケーブル入力１６からの信号がＨＰＦ５５を通過するように制御する。ＨＰＦ５５によりＣＡＴＶ放送帯域２１の信号が抑圧される。そして、送受信回路部１７は、ＨＰＦ５５およびＬＰＦ５７で減衰されなかった通信信号帯域２３の周波数を用いて、通信信号の送受信を行う。
【００９８】
一方、ＣＡＴＶ放送帯域に所定の周波数以上の信号が検出されなかった場合には、放送信号検出回路５２は、同軸ケーブル入力１６からの信号がＨＰＦ５６を通過するように制御する。ＨＰＦ５６によりＣＡＴＶ放送帯域２１のうちの所定の周波数以下の周波数帯域の信号が抑圧される。この場合、ＣＡＴＶ放送帯域２１のうちの所定の周波数以上の周波数帯域は減衰されないので、送受信回路部１７は、その周波数帯域も含めた周波数帯域６１を用いて、通信信号の送受信を行うことができる。
【００９９】
なお、通信信号帯域２３が、本発明の、通信用として予め決められた通信信号帯域の一例にあたる。また、本実施の形態３においては、ＣＡＴＶ放送帯域２１のうちの所定の周波数以上の周波数帯域が、本発明の予め決められた所定の周波数帯域の一例にあたる。また、本実施の形態３のフィルタ回路の、ＨＰＦ５５とＬＰＦ５７とを通る経路が、本発明の特定周波数抑制経路の一例にあたり、ＨＰＦ５６とＬＰＦ５７とを通る経路が、本発明の特定周波数通過経路の一例にあたる。
【０１００】
また、放送信号を含む信号が同軸ケーブル入力１６から切替スイッチ５３に入力される処理が、本発明の外部信号入力ステップの一例にあたる。また、放送信号検出回路５２がＣＡＴＶ放送帯域２１のうちの所定の周波数以上の信号を検出する処理が、本発明の信号検出ステップの一例にあたる。また、放送信号検出回路５２からの制御信号により切替スイッチ５３、５４が切り替えられる処理が、本発明の信号経路制御ステップの一例にあたる。また、本実施の形態３のフィルタ回路を通過した信号を送受信回路部１７に送出する処理が、本発明の通信信号出力ステップの一例にあたる。
【０１０１】
放送局によって、ＣＡＴＶ放送帯域（７７０ＭＨｚ以下の周波数帯域）のうちの一部の周波数帯域のみを放送用に使用する場合がある。
【０１０２】
例えば、図１０（ａ）および図１０（ｃ）の通信システムのＣＡＴＶモデム１０７に本実施の形態３のフィルタ回路を設けると、ＣＡＴＶ網１０２またはＣＡＴＶ網１２０のＣＡＴＶ放送帯域（７７０ＭＨｚ以下の周波数帯域）のうちの高周波帯域の部分を放送用に使用していない場合に、そのＣＡＴＶ放送帯域の高周波帯域の部分を通信に利用することが可能となる。
【０１０３】
本実施の形態３のフィルタ回路を用いると、このようにＣＡＴＶ放送帯域の一部のみが放送用の信号に使用されている場合に、放送用に使用されていないＣＡＴＶ放送帯域の高周波の帯域まで通信に使用する周波数帯域を拡張して通信が行えるので、周波数使用効率が向上する。
【０１０４】
なお、放送信号検出回路５２が検出の判断に用いる所定の周波数は、放送局ごとの放送用信号に使用する周波数帯域などに応じて適当な周波数に設定すればよい。
【０１０５】
（実施の形態４）
図７は、本発明の実施の形態４のフィルタ回路のブロック図を示したものである。実施の形態１のフィルタ回路と同様に、このフィルタ回路は、図１０に示したような通信システムのＣＡＴＶモデム１０７などに設けられる回路である。なお、実施の形態３と同じ構成部分には同じ符号を用いている。
【０１０６】
図７を用いて、本実施の形態４のフィルタ回路の構成をその動作とともに説明する。
【０１０７】
本実施の形態４のフィルタ回路は、放送信号検出回路７２、切替スイッチ５３、５４、７５、７６、ＨＰＦ５５、５６、ＬＰＦ７９、バイパス経路８０を備えている。なお、放送信号検出回路７２が、本発明の信号検出手段の一例にあたる。また、放送信号検出回路７２の切替スイッチ５３、５４、７５、７６を制御する機能部分と切替スイッチ５３、５４、７５、７６を合わせた構成が、本発明の制御回路の一例にあたる。また、ＬＰＦ７９が、本発明の所定周波数帯域抑圧フィルタの一例にあたる。また、ＨＰＦ５５が、本発明の第１のハイパスフィルタの一例にあたり、ＨＰＦ５６が、本発明の第２のハイパスフィルタの一例にあたる。
【０１０８】
切替スイッチ５３、５４、ＨＰＦ５５、５６は、実施の形態３と同じ構成なので、その説明は省略する。
【０１０９】
放送信号検出回路７２は、同軸ケーブル入力１６から入力されてくる信号の周波数を検出する。そして、放送信号検出回路７２は、その検出結果に応じて、切替スイッチ５３、５４、７５、７６を切り換えるための制御信号を切替スイッチ５３、５４、７５、７６に送信する。放送信号検出回路７２は、実施の形態３の放送信号検出回路５２がＣＡＴＶ放送帯域の信号の周波数を検知する機能に加えて、ＢＳ・ＣＳ放送信号帯域の信号の有無を検出する機能も有している。
【０１１０】
切替スイッチ５３、５４に対する制御方法および動作は、実施の形態３と同様なので説明を省略する。
【０１１１】
切替スイッチ７５、７６は、放送信号検出回路７２からの制御信号に応じて、ＨＰＦ５５またはＨＰＦ５６を通過してきた信号から送受信回路部１７への信号の経路を、ＬＰＦ７９を通過させるか、ＬＰＦ７９を通らないバイパス経路８０を通過させるかを切り替える。ＬＰＦ７９は、ＢＳ・ＣＳ信号帯域（１０３０ＭＨｚ以上）を減衰させるフィルタである。
【０１１２】
なお、切替スイッチ５３の同軸ケーブル入力１６からの信号が入力される部分が、本発明の入力端子の一例にあたり、切替スイッチ７６の送受信回路部１７に接続される部分が、本発明の出力端子の一例にあたる。
【０１１３】
放送信号検出回路７２は、ＢＳ・ＣＳ信号帯域の信号を検出した場合は、ＬＰＦ７９を通過させる制御信号を切替スイッチ７５、７６に送信する。そして、ＢＳ・ＣＳ信号帯域の信号を検出しなかった場合は、バイパス経路８０を通過させる制御信号を切替スイッチ７５、７６に送信する。
【０１１４】
図８は、本実施の形態４のフィルタ回路を用いた場合の減衰特性を示している。
【０１１５】
放送信号検出回路７２は、検出される放送用の信号の周波数に応じて、切替スイッチ５３、５４、７５、７６を制御することにより、本実施の形態４のフィルタ回路を通過する信号の周波数帯域を制御する。そして、検出される放送用の信号の周波数に応じて、通信用に使用できる周波数帯域を、通信信号帯域２３から、周波数帯域８１または周波数帯域８２または周波数帯域８３に拡張する。
【０１１６】
なお、通信信号帯域２３が、本発明の、通信用として予め決められた通信信号帯域の一例にあたる。また、本実施の形態４においては、ＣＡＴＶ放送帯域２１のうちの所定の周波数以上の周波数帯域、およびＢＳ・ＣＳ信号帯域が、いずれも、本発明の予め決められた所定の周波数帯域の一例にあたる。
【０１１７】
また、放送信号を含む信号が同軸ケーブル入力１６から切替スイッチ５３に入力される処理が、本発明の外部信号入力ステップの一例にあたる。また、放送信号検出回路７２がＢＳ・ＣＳ信号帯域の信号およびＣＡＴＶ放送帯域２１のうちの所定の周波数以上の信号を検出する処理が、本発明の信号検出ステップの一例にあたる。また、放送信号検出回路７２からの制御信号により切替スイッチ５３、５４、７５、７６が切り替えられる処理が、本発明の信号経路制御ステップの一例にあたる。また、本実施の形態４のフィルタ回路を通過した信号を送受信回路部１７に送出する処理が、本発明の通信信号出力ステップの一例にあたる。
【０１１８】
このように、放送信号がどの周波数帯域を使用しているかに応じて、通信に使用する周波数帯域を適宜拡張して通信が行えるので、周波数使用効率が向上する。
【０１１９】
また、本実施の形態４のフィルタ回路を用いると、ＢＳ・ＣＳ信号帯域の信号を受信していない場合は、ＨＰＦ５５またはＨＰＦ５６のみを通過するため、従来のＢＰＦ１１１を通過する場合と比較して、同軸ケーブル（５Ｃ−ＦＢ）における通信距離は約１０ｍ向上する。
【０１２０】
以上に説明したように、本実施の形態４のフィルタ回路を用いることにより、ＢＳ・ＣＳ信号帯域の信号を受信していない場合は、フィルタによる挿入損を小さくできるので、通信距離を長くすることができる。また、ＢＳ・ＣＳ信号帯域の信号を受信していない場合は、ＢＳ・ＣＳ信号帯域を通信に利用することが可能となり、ＣＡＴＶ放送帯域２１において、所定の周波数以下の放送用の信号のみを受信している場合は、ＣＡＴＶ放送帯域２１のうちのＨＰＦ５６の通過域を通信に利用することが可能となる。
【０１２１】
（実施の形態５）
図９は、本発明の実施の形態５のフィルタ回路のブロック図を示したものである。実施の形態１のフィルタ回路と同様に、このフィルタ回路は、図１０に示したような通信システムのＣＡＴＶモデム１０７などに設けられる回路である。なお、実施の形態３と同じ構成部分には同じ符号を用いている。
【０１２２】
図９を用いて、本実施の形態５のフィルタ回路の構成をその動作とともに説明する。
【０１２３】
本実施の形態５のフィルタ回路は、放送信号検出回路９２、切替スイッチ５３、５４、９５、９６、ＨＰＦ５５、５６、ＬＰＦ９９、１００、バイパス経路９０を備えている。なお、放送信号検出回路９２が、本発明の信号検出手段の一例にあたる。また、放送信号検出回路９２の切替スイッチ５３、５４、９５、９６を制御する機能部分と切替スイッチ５３、５４、９５、９６を合わせた構成が、本発明の制御回路の一例にあたる。また、ＬＰＦ９９およびＬＰＦ１００が、本発明の所定周波数帯域抑圧フィルタの一例にあたる。また、ＨＰＦ５５が、本発明の第１のハイパスフィルタの一例にあたり、ＨＰＦ５６が、本発明の第２のハイパスフィルタの一例にあたる。
【０１２４】
切替スイッチ５３、５４、ＨＰＦ５５、５６は、実施の形態３と同じ構成なので、その説明は省略する。
【０１２５】
放送信号検出回路９２は、同軸ケーブル入力１６から入力されてくる信号の周波数を検出する。そして、放送信号検出回路９２は、その検出結果に応じて、切替スイッチ５３、５４、９５、９６を切り換えるための制御信号を切替スイッチ５３、５４、９５、９６に送信する。放送信号検出回路９２は、実施の形態３の放送信号検出回路５２がＣＡＴＶ放送帯域の信号の周波数を検知する機能に加えて、ＢＳ放送信号帯域およびＣＳ放送信号帯域の信号の有無を検出する機能も有している。そして、放送信号検出回路９２は、実施の形態４の放送信号検出回路７２と異なり、１０３０ＭＨｚ以上の周波数の信号について、その信号がＢＳ信号帯域の信号かＣＳ信号帯域の信号かを区別して検出できるようになっている。
【０１２６】
切替スイッチ５３、５４に対する制御方法および動作は、実施の形態３と同様なので説明を省略する。
【０１２７】
切替スイッチ９５、９６は、放送信号検出回路９２からの制御信号に応じて、ＨＰＦ５５またはＨＰＦ５６を通過してきた信号から送受信回路部１７への信号の経路を、ＬＰＦ９９を通過させるか、ＬＰＦ１００を通過させるか、ＬＰＦ９９もＬＰＦ１００も通らないバイパス経路９０を通過させるかを切り替える。ＬＰＦ９９は、ＢＳ信号帯域およびＣＳ信号帯域を減衰させるフィルタであり、ＬＰＦ１００は、ＣＳ信号帯域を減衰させるフィルタである。
【０１２８】
なお、切替スイッチ５３の同軸ケーブル入力１６からの信号が入力される部分が、本発明の入力端子の一例にあたり、切替スイッチ９６の送受信回路部１７に接続される部分が、本発明の出力端子の一例にあたる。
【０１２９】
放送信号検出回路９２は、ＢＳ信号帯域の信号を検出した場合は、ＬＰＦ９９を通過させる制御信号を切替スイッチ９５、９６に送信する。ＢＳ信号帯域よりも高周波であるＣＳ信号帯域の信号を検出した場合は、ＬＰＦ１００を通過させる制御信号を切替スイッチ９５、９６に送信する。そして、ＢＳ信号帯域、ＣＳ信号帯域のいずれの信号も検出しなかった場合は、バイパス経路９０を通過させる制御信号を切替スイッチ９５、９６に送信する。
【０１３０】
このようにして、放送信号検出回路９２は、検出される放送用信号の周波数に応じて、切替スイッチ５３、５４、９５、９６を制御することにより、本実施の形態５のフィルタ回路を通過する信号の周波数帯域を制御する。そして、他の実施の形態と同様に、検出される放送用の信号の周波数に応じて、通信用に使用できる周波数帯域を拡張することができる。
【０１３１】
なお、本実施の形態５においては、ＣＡＴＶ放送帯域のうちの所定の周波数以上の周波数帯域、ＢＳ信号帯域、およびＣＳ信号帯域が、いずれも、本発明の予め決められた所定の周波数帯域の一例にあたる。
【０１３２】
このように、放送用信号がどの周波数帯域を使用しているかに応じて、通信に使用する周波数帯域を適宜拡張して通信が行えるので、周波数使用効率が向上する。
【０１３３】
また、本実施の形態５のフィルタ回路を用いると、ＢＳ・ＣＳ信号帯域の信号を受信していない場合は、ＨＰＦ５５またはＨＰＦ５６のみを通過するため、従来のＢＰＦ１１１を通過する場合と比較して、同軸ケーブル（５Ｃ−ＦＢ）における通信距離は約１０ｍ向上する。
【０１３４】
以上に説明したように、本実施の形態５のフィルタ回路を用いることにより、ＢＳ・ＣＳ信号帯域の信号を全く受信していない場合は、フィルタによる挿入損を小さくできるので、通信距離を長くすることができる。
【０１３５】
また、ＢＳ・ＣＳ信号帯域の信号を受信していない場合は、ＢＳ・ＣＳ信号帯域を通信に利用することが可能となり、ＣＳ信号帯域の信号のみを受信している場合は、ＬＰＦ１００の通過域のＢＳ信号帯域を通信に利用することが可能となる。また、ＣＡＴＶ周波数帯域において、所定の周波数以下の放送用信号のみを受信している場合は、ＨＰＦ５６の通過域のＣＡＴＶ周波数帯域を通信に利用することが可能となる。
【０１３６】
なお、図９に示す本実施の形態５の構成において、バイパス経路９０が無い構成としても、信号を受信していない周波数帯域を通信に利用できる、という効果は得られる。その場合、ＨＰＦ５５とＬＰＦ９９とを通る経路が、本発明の特定周波数抑制経路の一例にあたり、それ以外の経路が、本発明の特定周波数通過経路の一例にあたる。
【０１３７】
なお、地上放送で使用される周波数帯域は、ＣＡＴＶ網で放送用信号に使用される周波数帯域と同じ７７０ＭＨｚ以下の周波数帯域である。したがって、各実施の形態ではＣＡＴＶ網で放送信号が送信されてくる場合について説明したが、地上放送からの放送信号がアンテナから受信される構成であっても、本発明をそのまま適用できる。
【０１３８】
また、各実施の形態のフィルタ回路は、同軸ケーブル入力側にＨＰＦ（ハイパスフィルタ）を配置し、送受信回路部側にＬＰＦ（ローパスフィルタ）を配置する構成としたが、
同軸ケーブル入力側にＬＰＦを配置し、送受信回路部側にＨＰＦを配置する構成にしてもよい。
【０１３９】
以上に説明したように、本発明の信号経路切替スイッチおよび信号経路切替方法は、放送を受信している場合と受信していない場合の双方にフィルタ回路を対応させたものであり、放送信号の受信の有無を検出し、ＢＳ・ＣＳ信号を検出した場合は、制御信号によりスイッチを切り換え、ＨＰＦに加えて、ＬＰＦを通過させ、ＢＳ・ＣＳ信号を検出しなかった場合は、スイッチを切り換えてＬＰＦをバイパスさせ、ＨＰＦのみを通過させるフィルタ回路を構成するものである。
【０１４０】
本発明の信号経路切替スイッチおよび信号経路切替方法を用いることにより、ＢＳ・ＣＳを受信していない場合は、ＢＳ・ＣＳの周波数帯域を通信に利用することができ、且つ、ＢＰＦを挿入する場合と比較して、フィルタの挿入損を低く抑えることができる。
【産業上の利用可能性】
【０１４１】
本発明にかかる信号経路切替スイッチおよび信号経路切替方法は、フィルタによる挿入損を小さくして通信距離を長くする効果、および、放送を受信していない周波数帯域を通信用信号の周波数帯域として使用できるようにして周波数使用効率の高い通信を行わせる効果を有し、ＴＶ同軸ケーブルを利用した通信システム等に有用である。
【図面の簡単な説明】
【０１４２】
【図１】本発明の実施の形態１のフィルタ回路のブロック図
【図２】本発明の実施の形態１のフィルタ回路を用いた場合の減衰特性を示す図
【図３】本発明の実施の形態２のフィルタ回路のブロック図
【図４】本発明の実施の形態２のフィルタ回路を用いた場合の減衰特性を示す図
【図５】本発明の実施の形態３のフィルタ回路のブロック図
【図６】本発明の実施の形態３のフィルタ回路を用いた場合の減衰特性を示す図
【図７】本発明の実施の形態４のフィルタ回路のブロック図
【図８】本発明の実施の形態４のフィルタ回路を用いた場合の減衰特性を示す図
【図９】本発明の実施の形態５のフィルタ回路のブロック図
【図１０】（ａ）ＢＳ・ＣＳ放送をケーブルテレビ網とは別にアンテナから受信する場合のＣＡＴＶ通信システムの構成図、（ｂ）ＢＳ・ＣＳ放送をケーブルテレビ網とは別にアンテナから受信する場合の、他の構成のＣＡＴＶ通信システムの構成図、（ｃ）ＢＳ・ＣＳ放送の放送用データが、ケーブルテレビ網の放送信号として送られてくる場合のＣＡＴＶ通信システムの構成図、（ｄ）ＢＳ・ＣＳ放送の放送用データが送られてこない場合のＣＡＴＶ通信システムの構成図
【図１１】従来の、ＣＡＴＶモデム内に設けられたＢＰＦの構成図
【図１２】従来の、ＣＡＴＶモデム内に設けられたＢＰＦの減衰特性を示す図
【符号の説明】
【０１４３】
１１、５５、５６  ＨＰＦ
１２、３２  ＢＳ・ＣＳ信号検出回路
１３、１４、３３、３４、５３、５４、７５，７６、９５，９６  切替スイッチ
１５、３５、３６、５７、９９、１００  ＬＰＦ
５２、７２、９２  放送信号検出回路
【図１】
2007013329.tif 000003
【図２】
2007013329.tif 000004
【図３】
2007013329.tif 000005
【図４】
2007013329.tif 000006
【図５】
2007013329.tif 000007
【図６】
2007013329.tif 000008
【図７】
2007013329.tif 000009
【図８】
2007013329.tif 000010
【図９】
2007013329.tif 000011
【図１０】
2007013329.tif 000012
【図１１】
2007013329.tif 000013
【図１２】
2007013329.tif 000014